(57)【特許請求の範囲】
【請求項１】
２つの部材を互いに固定する取付構造において、
互いに螺合し合うことにより前記２つの部材を互いに固定する第１のねじ部材および第２のねじ部材と、
前記第２のねじ部材の回転を一方向のみ禁止し他方への回転を許容する回転方向規制機構と、を備え、
前記第１のねじ部材を前記第２のねじ部材に対して締め付ける際には前記回転方向規制機構により前記第２のねじ部材の回転が禁止され、前記第１のねじ部材を緩める方向に回転させたときには前記回転方向規制機構により回転が許容された前記第２のねじ部材が前記第１のねじ部材とともに回転するようにしたことを特徴とする、遊技機用基板ケースの取付構造。
【請求項２】
前記回転方向規制機構として、前記第２のねじ部材には前記一方向への回転のみを禁止するねじ側突出部が設けられていることを特徴とする請求項１に記載の遊技機用基盤ケースの取付構造。
【請求項３】
前記回転方向規制機構は、前記第２のねじ部材を収納する収納部を備え、前記収納部には前記第２のねじ部材に設けられた前記ねじ側突出部に対して係合可能とされた収納部側突出部が設けられ、前記ねじ側突出部と前記収納部側突出部とが互いに係合することにより、前記第２のねじ部材の前記一方向への回転が禁止されることを特徴とする請求項２に記載の遊技機用基盤ケースの取付構造。
【発明の詳細な説明】
【０００１】
【発明の属する技術分野】
本発明は、パチンコやパチスロ等の遊技機に取り付けられる遊技機用基板ケース等に適用可能な、２つの部材を互いに固定する取付構造に関する。
【０００２】
【従来の技術】
従来から、パチンコやパチスロ等の遊技機の基板に対し、不正ＲＯＭ交換等の不正行為が行われている。このような不正行為を防止するため、基板が収納された基板ケースは、基板ケースを開封できないようにした状態で店舗に設置された遊技機に取り付けられる。このような基板ケースは、特開平１０−２４９０２７号公報および特開平１１−１１４１８７号公報に開示されている。
【０００３】
また、基板ケース自体を遊技機の筐体から取り外しにくくしたものが、特開平１１−１６９５３６号公報に開示されている。ここでは、基板ケース取付台を筐体に設けるとともに、基板ケースを係止部材（金属の棒状体）によって基板ケース取付台に取り付けるようにしている。そして、係止部材はキーによりロックされる。
【０００４】
【発明が解決しようとする課題】
しかし、店舗に設置された遊技機に基板が取り付けられているとき、基板は基板ケースに収容されているが、流通の都合上、基板ケース単体での納品が必要となる場合があり、流通段階での不正を完全に防止することは困難であった。
【０００５】
また、基板ケースを係止部材（金属の棒状体）によって基板ケース取付台に取り付けるとともに、係止部材をキーによりロックするようにした場合には、キーが不正に使用された場合の不正行為を防止することができないという問題がある。
【０００６】
本発明は、基板ケースの不正な取り外しを効果的に防止できる取付構造を提供することを第１の目的とする。また、本発明は、基板ケース単体時の不正開封、および遊技機に取り付けられた状態での基板に対する不正行為の両者を有効に防止できるよう、基板ケースの開封や取り外しの事実が容易に認識可能な遊技機用基板ケースを提供することを第２の目的とする。
【０００７】
【課題を解決するための手段】
第１の本発明は、２つの部材を互いに固定する取付構造において、互いに螺合し合うことにより２つの部材を互いに固定する第１のねじ部材および第２のねじ部材（３６６）と、第２のねじ部材（３６６）の回転を一方向のみ禁止し他方への回転を許容する回転方向規制機構（３６５ａ，３６６ａ）と、を備え、第１のねじ部材を第２のねじ部材（３６６）に対して締め付ける際には回転方向規制機構（３６５ａ，３６６ａ）により第２のねじ部材（３６６）の回転が禁止され、第１のねじ部材を緩める方向に回転させたときには回転方向規制機構（３６５ａ，３６６ａ）により回転が許容された第２のねじ部材（３６６）が第１のねじ部材とともに回転するようにしたことを特徴とする、遊技機用基盤ケースの取付構造である。
【０００８】
この発明によれば、第１のねじ部材を緩める方向に回転させたときには回転方向規制機構（３６５ａ，３６６ａ）により回転が許容された第２のねじ部材（３６６）が第１のねじ部材とともに回転するので、第１のねじ部材を緩めることができない。
【０００９】
また、第１の本発明において、回転方向規制機構として、第２のねじ部材（３６６）には一方向への回転のみを禁止するねじ側突出部（３６６ａ）が設けられていることが好ましい。
【００１０】
さらに、第１の本発明において、回転方向規制機構は、第２のねじ部材（３６６）を収納する収納部（３６５）を備え、収納部（３６５）には第２のねじ部材（３６６）に設けられたねじ側突出部（３６６ａ）に対して係合可能とされた収納部側突出部（３６５ａ）が設けられ、ねじ側突出部（３６６ａ）と収納部側突出部（３６５ａ）とが互いに係合することにより、第２のねじ部材（３６６）の一方向への回転が禁止されることが好ましい。
【００１１】
第２の本発明は、２つの部材（１０２，７０）を互いに固定する取付構造において、２つの部材のうちの一の部材（１０２）に設けられ、他の部材（７０）に対して差し込まれる係止爪（１２６）と、係止爪（１２６）と係合可能とされた係合部材（７３）と、係合部材（７３）を移動させるねじ機構（１２７，７３ｅ）と、を備え、係止爪（１２６）を他の部材（７０）に対して差込んだ後、ねじ機構（１２７，７３ｅ）により係合部材（７３）を移動させて係合部材（７３）を不可逆的に係止爪（１２６）に係合させることにより、係合爪（１２６）を係止して２つの部材（１０２，７０）の分離を禁止するようにしたことを特徴とする、取付構造である。
【００１２】
この発明によれば、係合部材（７３）を不可逆的に係止爪（１２６）に係合させることにより、係合爪（１２６）を係止して２つの部材（１０２，７０）の分離を禁止するようにしたので、取付機構を破壊することなく２つの部材（１０２，７０）を分離することができない。
【００１３】
また、第２の本発明において、ねじ機構は係合部材（７３）に形成された雌ねじ（７３ｅ）と、雌ねじ（７３ｅ）に螺合されるワンウェイねじ（１２７）と、からなることが好ましい。
【００１４】
この発明によれば、ねじ機構としてワンウェイねじ（１２７）を用いているので、ねじを除去することができず、より確実に２つの部材（１０２，７０）の分離を禁止できる。
【００１５】
加えて、第１及び第２の本発明において、取付構造は、基板が収納された基板ケースを遊技機に対して取り付けるものであることが好ましい。
【００１６】
この発明によれば、第２のねじ部材（３６６）が第１のねじ部材とともに回転し、第１のねじ部材を緩めることができないので、基板ケースの不正な取り外しを効果的に防止できる。
【００１７】
第３の本発明は、遊技機の取付面に対して取り付けられるべきベース（１）と、ベース（１）に対し遊技機の取付面の反対側から取り付けられるカバー（２）と、から構成される基板ケース（Ｃ）を備え、基板ケース（Ｃ）内の空間に基板（３）が収納され、カバー（２）には、基板ケース（Ｃ）を遊技機の取付面に対して不可逆的に取り付ける取付部（２４）が設けられていることを特徴とする、遊技機用基板ケースである。
【００１８】
この発明によれば、ベース（１）および基板（３）が遊技機の取付面とカバー（２）の間に挟まるようにして取り付けられるので、カバー（２）を遊技機の取付面から取り外さない限り、基板（３）にアクセスできない。したがって、基板（３）に対し不正にアクセスした場合には、その痕跡がカバー（２）に残るため、不正行為を効果的に防止できる。なお、本明細書において、「不可逆的に取り付ける」とは、破壊することなく取り外しできないことを意味する。
【００１９】
また、第３の本発明において、取付部として、カバー（２）には、ワンウェイねじ（２７）を介してカバー（２）を遊技機の取付面に対して取り付けるためのねじ止め部（２４）が設けられていることが好ましい。
【００２０】
さらに、第３の本発明において、取付部として、カバー（２）には、カバー（２）を遊技機の取付面に対して取り付けるためのカシメ構造が設けられていることが好ましい。
【００２１】
加えて、第３の本発明において、カバー（２）を遊技機の取付面に対して取り付けない状態においてベース（１）とカバー（２）とがカシメ構造を介して互いに結合可能とされていることが好ましい。
【００２２】
この発明によれば、ベース（１）とカバー（２）とを分解した場合の痕跡が残るので、不正行為を二重に防止できる。
【００２３】
さらにまた、第３の本発明において、ベース（１）とカバー（２）とはワンウェイねじを用いて互いに結合されることが好ましい。
【００２４】
この発明によれば、ベース（１）とカバー（２）とを分解した場合の痕跡が残るので、不正行為を二重に防止できる。
【００２５】
またさらに、第３の本発明において、ベース（１）とカバー（２）とはねじ（４）によって結合され、ねじ（４）のねじ頭（４ａ）はベース（１）の側に露出されることが好ましい。
【００２６】
この発明によれば、ねじ（４）のねじ頭（４ａ）はベース（１）の側に露出されるので、カバー（２）を遊技機の取付面から取り外さない限り、ねじ（４）を取り外すことができず、基板（３）にアクセスできない。したがって、基板（３）に対し不正にアクセスした場合には、その痕跡がカバー（２）に残るため、不正行為を効果的に防止できる。
【００２７】
第４の本発明は、遊技機の取付面に対して取り付けられるべきベース（１）と、ベース（１）に対し遊技機の取付面の反対側から取り付けられるカバー（２）と、ベース（１）とカバー（２）とを互いに結合するためのカシメ構造を有するカシメ部材（５）と、を備え、ベース（１）およびカバー（２）の間に形成される空間内に基板（３）が収納され、カシメ部材（５）にはホログラムシール（５２）が取り付けられていることを特徴とする、遊技機用基板ケースである。
【００２８】
この発明によれば、カシメ部材（５）にはホログラムシール（５２）が取り付けられているので、カシメ部材（５）の複製を困難なものとすることができる。したがって、基板ケースが単体で流通する流通過程における不正行為が効果的に防止される。
【００２９】
また、第４の本発明において、ホログラムシール（５２）には、個々のカシメ部材（５）に固有の情報が印刷されていることが好ましい。
【００３０】
この発明によれば、個々のカシメ部材（５）に固有の情報が印刷されているので、カシメ部材（５）を複製するためには、予めその数字等の個別情報を調べた上でホログラムシール（５２）を作製しなくてはならず、カシメ部材（５）を偽造することは極めて困難である。したがって、基板ケースが単体で流通する流通過程における不正行為が効果的に防止される。
【００３１】
さらに、第４の本発明において、カシメ部材（５）には、ベース（１）およびカバー（２）に差し込まれる挿入部（５１）が設けられ、挿入部（５１）がベース（１）およびカバー（２）に差し込まれることによりカシメ部材（５）が引き抜き不可能な状態となることが好ましい。
【００３２】
この発明によれば、挿入部（５１）がベース（１）およびカバー（２）に差し込まれることによりカシメ部材（５）が引き抜き不可能な状態となるので、カシメ部材（５）を破壊するなどしない限り、ベース（１）とカバー（２）とを分離することができない。
【００３３】
なお、本発明の理解を容易にするために添付図面の参照符号を括弧書きにて付記するが、それにより本発明が図示の形態に限定されるものではない。
【００３４】
【発明の実施の形態】
−第１の実施形態−
以下、図１〜図９を参照して、本発明による遊技機用基板ケースの第１の実施形態について説明する。第１の実施形態の遊技機用基板ケースは、例えば、スロットマシンゲーム機等の遊技機に取り付けられる。
【００３５】
図１は本実施の形態の遊技機用基板ケースを分解した状態を示す側面図、図２は図１のII−II線方向から見た図１の遊技機用基板ケースの正面図、図３は図２の一部拡大図、図４は図１の遊技機用基板ケースの分解斜視図、図５は基板ケースの突出部を示す図である。また、図６は取付台を遊技機に取り付ける方法を示す図であり、図７は遊技機に取り付けられた取付台を示す図、図８は基板ケースＣを取付台に取り付ける方法を示す図、図９は基板ケースＣを取付台に取り付けた後の状態を示す図である。
【００３６】
図１〜図４に示すように、第１の実施形態の遊技機用基板ケースＣは、遊技機の取付台６０に当接されるベース１と、ベース１に対して取り付けられるカバー２とを備え、ベース１およびカバー２の間に形成される空間内にＲＯＭが実装された基板３が収容される。
【００３７】
ベース１にはねじ孔１１がカバー２にはねじ留め部２１ａ〜２１ｄがそれぞれ形成され、ねじ孔１１および基板３を貫通させたねじ４をねじ留め部２１ａ〜２１ｄに対し螺合させることにより、カバー２をベース１に対し取り付けることができる。これにより、基板３はベース１とカバー２との間に挟まれて支持され、ベース１およびカバー２の間に形成される空間内に収容される。
【００３８】
ベース１には、図２において左右両端側にそれぞれ一対の矩形状の開口１２が形成されている（図１および図４）。また、カバー２には開口１２と対向する位置において一対の矩形状の開口２２が形成されている（図１および図４）。
【００３９】
図２〜図５に示すように、開口１２および開口２２には樹脂製のカシメピン５が挿入される。カシメピン５には、開口１２および開口２２の位置に対応する傘型の挿入部５１が設けられている。ベース１をカバー２に取り付けた状態で開口１２および開口２２にカシメピン５を押し込むと、挿入部５１が弾性変形してベース１の内部に差し込まれる。図５（ａ）および図５（ｂ）に示すように、挿入部５１が開口１２および開口２２を通過すると、挿入部５１がその復元力により開いて挿入部５１がベース１の内壁面に係合するので、カシメピン５を引き抜くことができない状態となる。したがって、ベース１とカバー２とを互いに分解できなくなる。
【００４０】
複合的な不正防止のため、カシメピン５には個々のカシメピン５ごとに異なる数字等の個別情報が印刷されたホログラムシール５２が貼り付けられている。
【００４１】
図２においてカバー２の右端側には突出部２３が、カバー２の左端側には２つの突出部２５が、それぞれ形成されている。突出部２３には全部で４つのボス２４が形成されている。図３に示すように、ボス２４はねじ孔２４ｂが形成されたねじ止め部２４ａと、ねじ止め部２４ａを両側から支持する架橋部２４ｃとを備える。また、突出部２３の中央部分には、ねじ孔２３ａが形成されている。
【００４２】
次に、第１の実施形態の遊技機用基板ケースの使用方法について説明する。
【００４３】
図１に示すように、ベース１に対して基板３およびカバー２を取り付け、ねじ４を締結することにより、基板３をベース１およびカバー２の間に形成される空間内に収容する。さらに、カシメピン５を差し込むことで、基板ケースＣは開封不可能となる。
【００４４】
正規の理由による開封時には、カシメピン５とケース２との間にニッパを差し込むなどしてカシメピン５の挿入部５１を根元部分から切断することにより、カシメピン５を除去するとともに、ねじ４を取り外す。これにより基板ケースＣの開封が可能となる。基板ケースＣを封印する際には、ねじ４を再度締結するとともに、新規のカシメピン５を差し込む。このカシメピン５には予め設定された別の数字等の情報が印刷されたホログラムシール５２が貼付されている。
【００４５】
このように、カシメピン５には個々のカシメピン５に固有の情報が印刷されたホログラムシール５２が貼り付けられているため、カシメピン５を複製するためには、予めその数字等の個別情報を調べた上でホログラムシールを作製しなくてはならず、カシメピン５を偽造することは極めて困難である。したがって、基板ケースＣが単体で流通する流通過程における不正行為が効果的に防止される。
【００４６】
基板３を収容した基板ケースＣは遊技機２００に固定された取付台６０（図６等）に取り付けられる。
【００４７】
図６に示すように、取付台６０には４つの固定用ねじ孔６１が形成され、遊技機２００には固定用ねじ孔６１に対応する４つの下穴６２が形成されている。図７（ａ）および図７（ｂ）に示すように、固定用ねじ孔６１を貫通するねじ６３を下孔６２にねじ込むことによって、取付台６０が遊技機２００に固定される。また、図６および図７に示すように、取付台６０には基板ケースＣの突出部２５が差し込まれる差込部６４と、基板ケースＣを下方から支持するためのガイド６５と、カバー２に形成されたねじ孔２３ａに対応する下穴６６と、ケース２に形成された４つのボス２４に対応する４つの下穴６７とが形成されている。
【００４８】
図８および図９に示すように、基板３が収容された基板ケースＣの突出部２５を差込部６４に差込むとともに、基板ケースＣのねじ孔２３ａを貫通させたねじ２３ｂを取付台６０の下穴６６にねじ込むことにより、基板ケースＣが取付台６０を介して遊技機２００に取り付けられる。
【００４９】
次に、図９（ａ）〜（ｃ）に示すようにケース２のボス２４の１つにワンウェイねじ２７を差込むとともに、取付台６０に形成された対応する下穴６７にこのワンウェイねじ２７をねじ込む。ワンウェイねじ２７を一旦締め付けると取り外すことができなくなるため、ボス２４を破壊するなどしない限り基板ケースＣを取付台６０から取り外すことができない。なお、ワンウェイねじ２７は締めつけ方向に回転させる場合のみドライバー等の治具と係合し、逆方向に回転させようとしても治具と係合しないように構成されたねじである。
【００５０】
正規に基板ケースＣを取り外す場合には、ボス２４の架橋部２４ｃをニッパ等で切断するとともに、ねじ２３ｂを取り外す。再度、基板ケースＣを取り付ける場合には、ねじ孔２３ａを貫通させたねじ２３ｂを再び下穴６６にねじ込む。また、破壊されていない別のボス２４にワンウェイねじ２７を差込むとともに、対応する下穴６７にこのワンウェイねじ２７をねじ込む。このように、基板ケースＣを取り外すごとにボス２４を１つずつ使用するため、ボス２４の個数に対応する回数だけ、すなわち４回にわたって基板ケースＣを着脱することができる。
【００５１】
このように、基板ケースを遊技機から取り外すとボス２４が破損されることとなるため、不正目的で基板ケースが取り外された場合には、不正行為が行われたことが目視により容易に識別できる。本実施形態では、ベース１の側を遊技機の取付台６０に対向させるようにして基板ケースを取り付けているので、図１に明らかなように、ねじ４のねじ頭４ａが遊技機の取付台６０側に露出され、したがって基板ケースＣ全体を遊技機から取り外さない限りねじ４を取り外すことができない。よって、ねじ４を取り外すことにより基板３にアクセスすることは不可能である。
【００５２】
なお、ボス２４を破壊するなどして不正に基板ケースを取り外したとしても、上記のように、痕跡を残さずに基板ケースＣを開封することはできないため、本実施形態においては、不正行為が複合的な手段により防止されることとなる。
【００５３】
次に、図１０〜図１３を参照して、本発明の遊戯用基板ケースが取り付けられる遊技機の一例としてのスロットマシンについて説明する。
【００５４】
図中、２００はスロットマシンを示し、スロットマシン２００は、スロットマシン本体２００ａと、この本体２００ａに開閉可能に取り付けられた前面扉２００ｂとを備える。
【００５５】
本体２００ａ内には、その中段に、３個のリール２０４，２０５，２０６が収容され、本体２００ａ内の上部背面には、ベース１とカバー２とから構成され基板３を収容する基板ケースが取り付けられている。基板ケースおよび基板３については後述する。また、本体２００ａ内の下部には、ホッパー２２０が収容されている。
【００５６】
前面扉２００ｂには、ストップスイッチ２０７，２０８，２０９が設けられ、ストップスイッチ２０７，２０８，２０９は、リール２０４，２０５，２０６のそれぞれに対応しており、上記ストップスイッチの操作により上記リールの回転を停止させる。さらに、前面扉２００ｂには、リール２０４，２０５，２０６の回転を開始させるスタートレバー２０２、および上記リールの絵柄（図柄）を表示するための透明なアクリル板等から形成される絵柄表示窓２１０，２１１，２１２が、それぞれ設けられる。
【００５７】
遊技者がスタートレバー２０２を操作すると、これにより３個のリール２０４，２０５，２０６の回転が開始され、回転中のリール２０４，２０５，２０６を停止させるときには、遊技者が対応するストップスイッチ２０７，２０８，２０９をそれぞれ押すことにより個々のリールが停止される。
【００５８】
遊技者は、ストップスイッチ２０７，２０８，２０９を押すタイミングをはかるなどして、特定の絵柄の組合わせパターンが、あらかじめ定められた基準線上に出現するようにリールを停止できたときに、所定数のメダルが払出口２１７から払い出される。
【００５９】
さらに、前面扉２００ｂの絵柄表示窓２１０，２１１，２１２とストップスイッチ２０７，２０８，２０９との間に、メダル数量表示部２１３，２１４，２１５が形成されている。メダル数量表示部２１３，２１４，２１５の裏側には７セグメントによる数字表示装置（不図示）がそれぞれ配設される。この数字表示装置によって、３つの数字表示窓に、それぞれクレジット枚数および払出枚数が表示される。また、前面扉２００ｂ上部には、左右対称にスピーカ２１８，２１９が設けられ、ゲームの進行に応じて効果音等が発生される。
【００６０】
図１０および図１２に示すように、スロットマシン本体２００ａの背面側（図１２において右側）に取付台６０が取り付けられる。
【００６１】
本実施形態では、ケース２をワンウェイねじ２７により遊技機に対し取り付けているが、ベース１とケース２とを結合するカシメピン５のようなカシメ構造を利用して取り付け、ケース２を取り外した場合の痕跡を残すようにしてもよい。
【００６２】
本実施形態では、ベース１とケース２とをカシメ構造によって結合するようにしているが、ワンウェイねじを用いてベース１とケース２とを結合することにより、両者を分解した場合の痕跡を残すようにしてもよい。
【００６３】
本明細書において、カシメ構造とは、非破壊で取り外し不可能な構造を広く意味する。
【００６４】
−第２の実施形態−
以下、図１４〜図３４を参照して、本発明による遊技機用基板ケースの第２の実施形態について説明する。第２の実施形態の遊技機用基板ケースは、例えば、スロットマシンゲーム機等の遊技機に取り付けられる。第１の実施形態では、ワンウェイねじを用いて基板ケースＣを遊技機に取り付けているが、第２の実施形態では、基板ケースをカシメ構造を介して遊技機に取り付ける。
【００６５】
図１４は本実施の形態の遊技機用基板ケースを分解した状態を示す側面図、図１５は図１４のＸＶ−ＸＶ線方向から見た図１４の遊技機用基板ケースの正面図、図１６は図１５の一部拡大図、図１７は図１４の遊技機用基板ケースの分解斜視図、図１８は基板ケースの突出部を示す平面図、図１９は図１８のＩＸＸ−ＩＸＸ線断面図である。
【００６６】
図１４〜図１７に示すように、第２の実施形態の遊技機用基板ケースＣ１はベース１０１と、ベース１０１に対して取り付けられるカバー１０２とを備え、ベース１０１およびカバー１０２の間に形成される空間内にＲＯＭが実装された基板３が収容される。
【００６７】
ベース１０１のねじ孔１１１（図１７）および基板３を貫通させたねじ１０４をカバー１０２のねじ留め部（不図示）に対し螺合させることにより、カバー１０２をベース１０１に対し取り付けることができる。これにより、基板３はベース１０１とカバー１０２との間に挟まれて支持され、ベース１０１およびカバー１０２の間に形成される空間内に収容される。
【００６８】
ベース１０１には、図１５において左右両端側にそれぞれ一対の矩形状の開口１１２が形成されている（図１４および図１７）。また、カバー１０２には開口１１２と対向する位置において一対の矩形状の開口１２２が形成されている（図１４および図１７）。
【００６９】
図１５〜図１９に示すように、開口１１２および開口１２２には樹脂製のカシメピン５Ａが挿入される。カシメピン５Ａには、開口１１２および開口１２２の位置に対応する傘型の挿入部５１Ａが設けられている。ベース１０１をカバー１０２に取り付けた状態で開口１１２および開口１２２にカシメピン５Ａを押し込むと、挿入部５１Ａが弾性変形してベース１０１の内部に差し込まれる。図１８および図１９に示すように、挿入部５１Ａが開口１１２および開口１２２を通過すると、挿入部５１Ａがその復元力により開いて挿入部５１Ａがベース１０１の内壁面に係合するので、カシメピン５Ａを引き抜くことができない状態となる。したがって、ベース１０１とカバー１０２とを互いに分解できなくなる。
【００７０】
複合的な不正防止のため、カシメピン５Ａには個々のカシメピン５Ａごとに異なる数字等の個別情報が印刷されたホログラムシール５２Ａが貼り付けられている。
【００７１】
図１５においてカバー１０２の右端側には突出部１２３が、カバー１０２の左端側には２つの突出部１２５が、それぞれ形成されている。突出部１２３には全部で４つのボス１２４が形成されている。図１６に示すように、ボス１２４はねじ孔１２４ｂが形成されたねじ止め部１２４ａと、ねじ止め部１２４ａを両側から支持する架橋部１２４ｃとを備える。また、突出部１２３の中央部分には、ねじ孔１２３ａが形成されている。
【００７２】
図１４および図１７に示すように、突出部１２３には４つのボス１２４にそれぞれ対応する４対の係止爪１２６が形成されている。係止爪１２６の先端には、係止爪１２６の片側に突出する突出部１２６ａが設けられている（図１４）。
【００７３】
次に、本実施形態の遊技機用基板ケースの使用方法について説明する。
【００７４】
図１４に示すように、ベース１０１に対して基板３およびカバー１０２を取り付け、ねじ１０４を締結することにより、基板３をベース１０１およびカバー１０２の間に形成される空間内に収容する。さらに、カシメピン５Ａを差し込むことで、基板ケースＣ１は開封不可能となる。
【００７５】
正規の理由による開封時には、カシメピン５Ａとカバー１０２との間にニッパを差し込むなどしてカシメピン５Ａの挿入部５１Ａを根元部分から切断することにより、カシメピン５Ａを除去するとともに、ねじ１０４を取り外す。これにより基板ケースＣ１の開封が可能となる。基板ケースＣ１を封印する際には、ねじ１０４を再度締結するとともに、新規のカシメピン５Ａを差し込む。このカシメピン５Ａには予め設定された別の数字等の情報が印刷されたホログラムシール５２Ａが貼付されている。
【００７６】
このように、カシメピン５Ａには個々のカシメピン５Ａに固有の情報が印刷されたホログラムシール５２Ａが貼り付けられているため、カシメピン５Ａを複製するためには、予めその数字等の個別情報を調べた上でホログラムシールを作製しなくてはならず、カシメピン５Ａを偽造することは極めて困難である。したがって、基板ケースＣ１が単体で流通する流通過程における不正行為が効果的に防止される。
【００７７】
基板３を収容した基板ケースＣ１は遊技機２００に固定された取付台１６０（図２０等）に取り付けられる。
【００７８】
図２０に示すように、取付台１６０は板金１６１と、図２０において板金１６１の右端側に取り付けられる取付部７０とからなる。図２０および図２４に示すように、板金１６１には２つの固定用ねじ孔１６１ａと、２つの固定用切欠き１６１ｂとが形成され、遊技機２００には固定用ねじ孔１６１ａおよび固定用切欠き１６１ｂに対応する４つの下穴１６２が形成されている。図２４（ａ）において、板金１６１の左端部には基板ケースＣ１の突出部１２５（図１５）が差し込まれる差込部１６４が設けられ、板金１６１の下端部には基板ケースＣ１を下方から支持するためのガイド１６５が設けられる。
【００７９】
図２１は取付部７０を構成する第１部材を示す図、図２２は取付部７０を構成する第２部材を示す図、図２３は取付部７０を構成する第３部材を示す図、図２４は板金を示す図である。
【００８０】
取付部７０は図２１〜図２３に示す第１部材７１、第２部材７２および第３部材７３を備える。
【００８１】
図２１（ａ）〜（ｃ）に示すように、第１部材７１は全体として図２１（ｃ）の上方に向けて開口するケース状に形成されており、その内部には第３部材７３を支持するための４対の突起７１ａが形成されている。また、第１部材７１の中央部にはねじ孔が開けられたボス７１ｂが形成され、第１部材７１の長手方向（図２１（ａ）において左右方向）の両端部には第２部材７２が係合する係合孔７１ｃが形成されている。また、第１部材７１には補強リブ７１ｄ、７１ｅ、７１ｆが形成されている。
【００８２】
図２２に示すように、第２部材７２は全体としてケース状の第１部材７１の開口を覆うカバー状に形成されており、その長手方向（図２２（ｂ）において左右方向）の両端部には、第１部材７１の係合孔７１ｃに係合する突起７２ａが図２２（ｂ）において下向きに突設されている。また、図２２（ａ）に示すように、第２部材７２には、図２２（ｂ）において上下方向に貫通する８個の長孔７２ｂが形成されるとともに、長孔７２ｂの周囲には異物侵入防止リブ７２ｃが形成されている。さらに、第２部材７２の周端部には、異物侵入防止リブ７２ｄが形成されている。異物混入防止リブ７２ｃ、７２ｄにより、係止爪１２６が長孔７２ｂに差込まれている状態時に、隙間から針金等の治具にて爪を移動させ、掛かりをはずす行為が防止される。第２部材７２の中央部分にはねじ孔７２ｅが、長孔７２ｂの間にはねじ孔７２ｆが、それぞれ形成されている。
【００８３】
図２３（ａ）〜（ｃ）に示すように、第３部材７３は矩形状の平板部７３ａと、平板部７３ａから突設された筒状部７３ｂとを備え、平板部７３ａにはカバー１０２の係止爪１２６が係合される一対の係合孔７３ｃが形成されている。また、第３部材７３には、筒状部７３ｂに連なるガイド突起７３ｄが突設されている。筒状部７３ｂの内周側には、雌ねじが形成されたインサートナット７３ｅが挿入されている。
【００８４】
図２４に示すように、板金１６１の図２４（ａ）において下端部には２つのねじ孔１６１ａが、上端部には２つの切欠き１６１ｂが、右端部には４つのねじ孔１６３が、それぞれ形成されている。
【００８５】
図２５および図２６に示すように、第３部材７３は、ガイド突起７３ｄが第１部材７１の突起７１ａに対向するような向きで突起７１ａの間に嵌め込まれる。第３部材７３を装着後、図２７に示すように、ねじ７４を板金１６１の側から差込み、板金１６１のねじ孔１６３および第１部材７１の係合孔７１ｃを貫通させる。このねじ７４は第２部材７２の突起７２ａに形成されたねじ孔に螺合される。これにより、図２７において第１部材７１の下面が板金１６１に密着するとともに、突起７２ａが係合孔７１ｃに収納されて、板金１６１、第１部材７１および第２部材７２が互いに固定される。図２７において第１部材７１の補強リブ７１ｄ、７１ｅおよび７１ｆの上端は、第２部材７２に接触する（図３２（ａ）参照）。
【００８６】
次に、図２０および図２９に示すように、ねじ孔１６１ａおよび切欠き１６１ｂを通したねじ１６３を遊技機２００の下穴１６２にねじ込むことにより、上記のようにして組み立てた取付部７０を遊技機２００に取り付ける。
【００８７】
次に、図３０、図３１および図３２に示すように、基板ケースＣ１の突出部１２５を差込部１６４に差込み、基板ケースＣ１の係止爪１２６を第２部材７２の長孔７２ｂから取付部７０の内部に差込む。また、ケース１０２のねじ孔１２３ａからねじ１２３ｂを差込み、第２部材７２のねじ孔７２ｅを貫通させたねじ１２３ｂを第１部材７１のボス７１ｂにねじ込む。このとき、図３２（ａ）に示すように係止爪１２６は第２部材７２と第３部材７３との間隙に挿入される。
【００８８】
続いて、カバー１０２に形成されたボス１２４のねじ孔１２４ｂにワンウェイねじ１２７を差込み、ワンウェイねじ１２７を第３部材７３のインサートナット７３ｅにねじ込む。ワンウェイねじ１２７とインサートナット７３ｅとが互いに螺合すると、インサートナット７３ｅとともに第３部材７３の全体が図３２（ａ）において上方に移動するので、カバー１０２の係止爪１２６が弾性変形しつつ係止爪１２６の先端部が第３部材７３の係合孔７３ｃに挿入される。ワンウェイねじ１２７を完全に締め付けると、図３２（ｂ）に示すように係止爪１２６の突出部１２６ａが係合孔７３ｃを通りぬけ、係止爪１２６がその弾性力により復帰して元の形状に戻るので、突出部１２６ａが第３部材７３と係合する。このため、仮に何らかの方法でワンウェイねじ１２７を取り外したとしても、ボス１２４あるいは係止爪１２６を破壊しない限り、カバー１０２、すなわち基板ケースＣ１を取付部７０から取り外すことができなくなる。したがって、基板３に対する不正行為を効果的に防止できる。
【００８９】
図３３および図３４は、図１０〜図１３に示したスロットマシン２００に第２の実施形態の基板ケースＣ１を取り付けた状態を示す図である。図３３および図３４に示すように、スロットマシン本体２００ａの背面側（図３４において右側）に取付台１６０が取り付けられる。
【００９０】
−別の取付構造の一例−
以下、図３５〜図３８を参照して、別の取付構造の一例について説明する。
【００９１】
第１の実施形態ではワンウェイねじを用いて、第２の実施形態では係止爪１２６によるカシメ構造を用いて、それぞれ基板ケースを取付台に対して取り付けることにより基板ケースの不正な取り外しを防止しているが、これらの構造に代えて、図３５〜図３８に示す取付構造を使用することもできる。
【００９２】
図３５および図３６に示すように、取付台３６０には遊技機２００への取り付けに用いる４つのねじ孔３６１と、基板ケースの一部を差し込むための差込部３６２と、基板ケースを下方から支えるガイド３６３とが設けられている。また、取付台３６０の裏側には後述するインサートナットを収納する２つの収納ケース３６４が取り付けられる。図３７（ａ）〜（ｃ）に示すように、収納ケース３６４には略円筒状のインサートナット３６６をそれぞれ収納する２つの収納室３６５と、取付台３６０に収納ケース３６４を取り付けるための２つのねじ孔３６７とが形成されている。取付台３６０には雄ねじスタッド３６８が突設されており、ねじ孔３６７に雄ねじスタッド３６８（図３６）を差込んで雄ねじスタッド３６８にナット３６９を螺合させることにより、取付台３６０に収納ケース３６４が取り付けられる。
【００９３】
インサートナット３６６の外周面には３つの突出片３６６ａが、収納室３６５の内周面には３つの突出片３６５ａが、それぞれ形成されている。図３８（ａ）に示すように、インサートナット３６６を時計回り方向に回転させようとしたとき、突出片３６６ａと突出片３６５ａとが互いに噛み合い、インサートナット３６６の回転は阻止される。一方、図３８（ｂ）に示すように、インサートナット３６６を反時計回り方向に回転させたとき、突出片３６６ａおよび突出片３６５ａは弾性変形して互いに噛み合わないため、インサートナット３６６の回転が許容される。
【００９４】
インサートナット３６６の内周面には、基板ケースの側から差し込まれるねじが螺合する雌ねじ３６６ｂが形成されている。
【００９５】
この取付構造では、基板ケースを貫通させたねじ（不図示）をインサートナット３６６の内周面に形成した雌ねじ３６６ｂにねじ込むことにより、基板ケースを取付台３６０に対して取り付ける。基板ケースの取り付けに際しては、基板ケースの一部を差込み部３６２に差込み、ねじ（不図示）をインサートナット３６６にねじ込む。図３８（ａ）に示すように、時計回り方向についてインサートナット３６６ｂの回転は阻止されるので、通常のナットと同様、ねじを時計回り方向に回転させることにより、ねじをインサートナット３６６にねじ込むことができ、これにより基板ケースを取付台３６０に取り付けることができる。
【００９６】
一旦、ねじをインサートナット３６６にねじ込んだ後は、ねじを取り外すことができなくなる。すなわち、ねじを反時計回り方向に回転させようとしても、図３８（ｂ）に示すように、インサートナット３６６はねじと一体に回転するため、取付構造を破壊しない限り、ねじをインサートナット３６６から分離することができない。したがって、基板ケースを取り外した場合の痕跡が残るため、基板ケースに対する不正行為を効果的に防止できる。
【００９７】
【発明の効果】
第１の本発明によれば、第１のねじ部材を緩める方向に回転させたときには回転方向規制機構（３６５ａ，３６６ａ）により回転が許容された第２のねじ部材（３６６）が第１のねじ部材とともに回転するので、第１のねじ部材を緩めることができない。
【００９８】
第２の本発明によれば、係合部材（７３）を不可逆的に係止爪（１２６）に係合させることにより、係合爪（１２６）を係止して２つの部材（１０２，７０）の分離を禁止するようにしたので、取付機構を破壊することなく２つの部材（１０２，７０）を分離することができない。
【００９９】
第３の本発明によれば、ベースおよび基板が遊技機の取付面とカバーの間に挟まるようにして取り付けられるので、カバーを遊技機の取付面から取り外さない限り、基板にアクセスできない。したがって、基板に対し不正にアクセスした場合には、その痕跡がカバーに残るため、不正行為を効果的に防止できる。
【０１００】
第４の本発明によれば、カシメ部材にはホログラムシールが取り付けられているので、カシメ部材の複製を困難なものとすることができる。したがって、基板ケースが単体で流通する流通過程における不正行為が効果的に防止される。
【図面の簡単な説明】
【図１】  本発明による遊技機用基板ケースの第１の実施形態を分解して示す側面図。
【図２】  図１のII−II線方向から見た第１の実施形態の遊戯用基板ケースの正面図。
【図３】  図２の一部拡大図。
【図４】  第１の実施形態の遊技機用基板ケースを分解して示す斜視図。
【図５】  カシメ部材の周辺を示す図であり、（ａ）はカシメ部材の周辺を示す断面図。
、（ｂ）は（ａ）のＢ−Ｂ線方向から見た平面図。
【図６】  取付台の固定方法を示す図。
【図７】  遊技機に固定された取付台を示す図であり（ａ）は正面図、（ｂ）は（ａ）のＢ−Ｂ線方向から見た側面図。
【図８】  基板ケースを取付台に取り付ける方法を示す図であり、（ａ）は基板ケースの取付方法を示す図、（ｂ）は（ａ）の一部拡大図。
【図９】  遊技機に取り付けられた基板ケースを示す図であり、（ａ）は遊技機に取り付けられた基板ケースを示す正面図、（ｂ）は（ａ）の一部拡大図、（ｃ）は（ａ）のＣ−Ｃ線方向から見た側面図、（ｄ）は（ｃ）の一部拡大図。
【図１０】  前面扉を開けた状態のスロットマシーンを示す正面図。
【図１１】  スロットマシーンを示す斜視図。
【図１２】  スロットマシーンを示す断面図。
【図１３】  前面扉を閉めた状態のスロットマシーンを示す正面図。
【図１４】  本発明による遊技機用基板ケースの第２の実施形態を分解して示す側面図。
【図１５】  図１４のＸＶ−ＸＶ線方向から見た第２の実施形態の遊戯用基板ケースの正面図。
【図１６】  図１５の一部拡大図。
【図１７】  第２の実施形態の遊技機用基板ケースを分解して示す斜視図。
【図１８】  カシメ部材の周辺を示す正面図。
【図１９】  図１８のＸＩＸ−ＸＩＸ線断面図。
【図２０】  取付台を遊技機に固定する方法を示す図。
【図２１】  取付部を構成する第１部材を示すずであり、（ａ）は第１部材の平面図、（ｂ）は（ａ）のＢ−Ｂ線方向から第１部材を見た図、（ｃ）は（ａ）のＣ−Ｃ線断面図。
【図２２】  取付部を構成する第２部材を示す図であり（ａ）は第２部材の平面図、（ｂ）は（ａ）のＢ−Ｂ線方向から見た図。
【図２３】  取付部を構成する第３部材を示す図であり、（ａ）は第３部材の平面図、（ｂ）は（ａ）のＢ−Ｂ線方向から見た図、（ｃ）は（ａ）のＣ−Ｃ線断面図。
【図２４】  取付台を構成する板金を示す図であり、（ａ）は板金を示す正面図、（ｂ）は（ａ）のＢ−Ｂ線方向から見た側面図。
【図２５】  第３部材を第１部材に取り付ける方法を示す図。
【図２６】  第３部材を第１部材に取り付けた状態を示す図であり、（ａ）は平面図、（ｂ）は（ａ）のＢ−Ｂ線断面図。
【図２７】  取付部を板金に取り付ける方法を示す図。
【図２８】  取付部を板金に取り付けた状態を示す図であり（ａ）は正面図、（ｂ）は（ａ）のＢ−Ｂ線方向から見た側面図。
【図２９】  取付台を遊技機に取り付けた状態を示す図であり、（ａ）は正面図、（ｂ）は（ａ）のＢ−Ｂ線方向から見た側面図。
【図３０】  基板ケースを取付台に取り付ける方法を示す図。
【図３１】  基板ケースを取付台に取り付けた状態を示す図であり、（ａ）は正面図、（ｂ）は（ａ）の一部拡大図、（ｃ）は（ａ）のＣ−Ｃ線断面図。
【図３２】  係止爪の周辺を示す断面図であり、（ａ）はワンウェイねじを締めつける前の状態を示す図、（ｂ）はワンウェイねじを締めつけた後の状態を示す図。
【図３３】  前面扉を開けた状態におけるスロットマシーンを示す正面図。
【図３４】  スロットマシーンを示す断面図。
【図３５】  取付構造を示す正面図。
【図３６】  図３５のＢ１−Ｂ１線断面図を含む図３５のＢ−Ｂ線方向から見た側面図。
【図３７】  収納ケースを示す図であり、（ａ）はインサートナットを取り外した状態を示す平面図、（ｂ）はインサートナットを組み込んだ状態を示す平面図、（ｃ）は（ｂ）のＣ−Ｃ線方向から見た側面図、（ｄ）は（ｂ）のＤ−Ｄ線断面図。
【図３８】  インサートナットの機能を示す図であり、（ａ）はインサートナットを時計回り方向に回転させようとしたときの状態を示す図、（ｂ）はインサートナットを反時計回り方向に回転させたときの状態を示す図。
【符号の説明】
１      ベース
２      カバー
３      基板
４      ねじ
５      カシメ部材
２４    ボス（ねじ止め部）
５１    挿入部
５２    ホログラムシール
６０    取付台
７０    取付部
７３    係合部材（第３部材）
７３ｅ  雌ねじ（ねじ機構）
１０２  カバー（一の部材）
１２６  係止爪
１２７  ワンウェイねじ（ねじ機構）
３６５ａ  突出片（収納部側突出部）
３６６  インサートナット（第２のねじ部材）
３６６ａ  突出片（ねじ側突出部）
【図１】
0003775951.tif 000002
【図２】
0003775951.tif 000003
【図３】
0003775951.tif 000004
【図４】
0003775951.tif 000005
【図５】
0003775951.tif 000006
【図６】
0003775951.tif 000007
【図７】
0003775951.tif 000008
【図８】
0003775951.tif 000009
【図９】
0003775951.tif 000010
【図１０】
0003775951.tif 000011
【図１１】
0003775951.tif 000012
【図１２】
0003775951.tif 000013
【図１３】
0003775951.tif 000014
【図１４】
0003775951.tif 000015
【図１５】
0003775951.tif 000016
【図１６】
0003775951.tif 000017
【図１７】
0003775951.tif 000018
【図１８】
0003775951.tif 000019
【図１９】
0003775951.tif 000020
【図２０】
0003775951.tif 000021
【図２１】
0003775951.tif 000022
【図２２】
0003775951.tif 000023
【図２３】
0003775951.tif 000024
【図２４】
0003775951.tif 000025
【図２５】
0003775951.tif 000026
【図２６】
0003775951.tif 000027
【図２７】
0003775951.tif 000028
【図２８】
0003775951.tif 000029
【図２９】
0003775951.tif 000030
【図３０】
0003775951.tif 000031
【図３１】
0003775951.tif 000032
【図３２】
0003775951.tif 000033
【図３３】
0003775951.tif 000034
【図３４】
0003775951.tif 000035
【図３５】
0003775951.tif 000036
【図３６】
0003775951.tif 000037
【図３７】
0003775951.tif 000038
【図３８】
0003775951.tif 000039